(57)【要約】【課題】巻胴部と軸部が三重構造になっており、全体が紙製で形成されているが充分に強度があり、ケーブル、ワイヤー、チェーンなど重荷重のかかる線材などでも巻き取ることができると共に、不用になればリサイクル故紙として再利用できる。【解決手段】巻胴紙管１と、軸紙管２と、中心部に放射状の切り目を設けた厚紙の鍔体３と、その鍔体３を巻胴紙管１および軸紙管２の両側に取り付ける打ち込み用の内筒紙管６とから構成されており、内筒紙管６の打ち込みにより切り目４の折り込み片５が巻胴紙管１と内筒紙管６および軸紙管２と内筒紙管６の間に接着してなる巻胴部と軸部がそれぞれ三重構造に構成されている。【選択図】        図２
2004203575.tif 000002
【特許請求の範囲】
【請求項１】
巻胴紙管と、軸紙管と、中心部に放射状の切り目を設けた厚紙の鍔体と、その鍔体を巻胴紙管および軸紙管の両側に取り付ける打ち込み用の内筒紙管とから構成されており、内筒紙管の打ち込みにより切り目の折り込み片が巻胴紙管と内筒紙管および軸紙管と内筒紙管の間に接着してなる巻胴部と軸部がそれぞれ三重構造に構成されていることを特徴とする紙製リール。
【請求項２】
巻胴紙管の両側に取り付ける鍔体を大径とし、軸紙管の両側に取り付ける鍔体を小径とし、軸紙管の鍔体の外周面を巻胴紙管の折り込み片に接合すると共に、外周の内側面を巻胴紙管の内筒紙管の端部に接着一体化してある請求項１に記載の紙製リール。
【請求項３】
巻胴紙管の両側に取り付ける鍔体の外面に、軸紙管の両側に取り付ける鍔体を接合してある請求項１に記載の紙製リール。
【請求項４】
巻胴紙管と、その巻胴紙管の両端を嵌合する孔を穿設した厚紙の鍔体と、軸紙管と、中心部に放射状の切り目を設けた厚紙の鍔体と、その鍔体を軸紙管の両側に取り付ける打ち込み用の内筒紙管とから構成されており、内筒紙管の打ち込みにより切り目の折り込み片が軸紙管と内筒紙管の間に接着してなる軸部が三重構造に構成されていることを特徴とする紙製リール。
【請求項５】
巻胴紙管の両側に取り付ける鍔体は、軸紙管の両側に取り付ける鍔体より厚く形成されている請求項４に記載の紙製リール。
【請求項６】
巻胴紙管の両側に取り付ける鍔体と軸紙管の両側に取り付ける鍔体の紙質を変えてある請求項４に記載の紙製リール。
【請求項７】
軸紙管の両側に取り付ける少なくとも一方の鍔体の外面に、絵、模様、文字等を印刷した鍔体に形成されている請求項４に記載の紙製リール。
【発明の詳細な説明】
【０００１】
【発明の属する技術分野】
本発明は、主として電力線、電話線などのケーブルあるいはワイヤー、チェーンなどの線材を巻き付けるのに適した紙製リールに関するものである。
【０００２】
【従来の技術】
従来から、上記のようなケーブル、ワイヤー、チェーンなどの比較的重量のある線材を巻き付けるリールは、合成樹脂製のリールや木製のリールが使用されている。そのリールは、巻胴の両側端にフランジを一体的に取り付けて構成されており、巻胴の外周面に捲装物を巻き付けると共に、両端部のフランジにより巻回された捲装物の端部を保護して巻姿を揃えている。
【０００３】
前者の合成樹脂製のリールは、型成形で作られているので大量生産に適し、外観が美しい利点はあるものの、型代及び材料費が嵩むと共に、使用後に産業廃棄物として焼却処分されると、焼却炉から出る排ガス中に有害物質が含まれているため、焼却場の周辺地域の環境が汚染される問題がある。特に、昨今の廃棄物処理に伴う種々の好ましくない社会問題から、リサイクル使用が望まれているのに拘わらず、リサイクルできないと言う問題点があった。
【０００４】
後者の木製のリールは、重くて使い勝手が悪く、不用になれば焼却できる便利性はあるが、釘などの金具類が多く使われているため、焼却する前に金具類と分別しなければならず、その作業に多大の手間と時間を費やさなければならなかった。さらに、木材資源の枯渇や原木価格の高騰および地球環境保護の観点からも適さないと言う問題点があった。
【０００５】
このような欠点を解消するものとして、軽くて取り扱いが容易で、かつ安価であると共に、不用になればリサイクルの故紙として板紙などに再利用できて、産業廃棄物として公害問題の生じることがない紙管と厚紙とからなる紙製のリールが提案されている。（例えば、特許文献１．２参照）
【０００６】
【特許文献１】
特開２００１−３１６０４４号公報（２−３頁、図１）
【特許文献２】
特開平６−１６６４７５号公報（２−３頁、図６）
【０００７】
【発明が解決しようとする課題】
しかしながら、前記の特許文献１、２の紙管と厚紙からなる紙製リールは、巻胴外筒と、放射状の切目を刻説した鍔体と、その鍔体を巻胴外筒の両側部に取り付ける圧着用内筒とで構成されており、電力線、電話線などのケーブルあるいはワイヤー、チェーンなど重量のある線材を巻回すると、巻胴に大きな巻圧がかかり、その重荷重に耐えることができず、撓んで正確に巻きつけることができなかったり、巻胴と鍔体の接着個所が剥がれて潰れたりして使用することができなかった。
【０００８】
また、工事現場や倉庫に保管する時などに、リールを転がして移動すると接地するフランジが弱くて折損や破損することがあった。さらに、捲装物に巻き癖がつかないように巻胴を大径にすると、圧着用内筒の径も大きくなって必然的に内径と外径の差を大きくできなかった。そのため、軸心部を強化しなければ弱体化するがその手段が施されていなかった。例えば、中心の軸孔にシャフトを挿通すると共に、鍔体の外面から挟み具で圧着して捲装物の巻回、解舒を行う場合に、鍔体の左右方向からの面圧に耐えられず、摩擦スリップが生じたり、鍔部が損傷して巻回、解舒不良が生じるなど正確な巻取りができないと言った問題点があった。
【０００９】
本発明は、上記の課題を解決することを課題として開発されたもので、巻胴部と軸部が三重構造になっており、全体が紙製で形成されているが充分に強度があり、ケーブル、ワイヤー、チェーンなど重荷重のかかる線材などでも巻き取ることができると共に、軸方向（長さ方向）の外力に対しても強化を図り、損傷、破損を防止し、また、組み立て製作が容易となり、不用になればリサイクル故紙として再利用でき資源保護に役立つ有益な紙製リールを提供することを目的とするものである。
【００１０】
【課題を解決するための手段】
上記の課題を解決し、その目的を達成する手段として、本発明では、巻胴紙管と、軸紙管と、中心部に放射状の切り目を設けた厚紙の鍔体と、その鍔体を巻胴紙管および軸紙管の両側に取り付ける打ち込み用の内筒紙管とから構成されており、内筒紙管の打ち込みにより切り目の折り込み片が巻胴紙管と内筒紙管および軸紙管と内筒紙管の間に接着してなる巻胴部と軸部がそれぞれ三重構造に構成されていることを特徴とする紙製リールを開発し、採用した。
【００１１】
また、本発明では、上記のように構成した紙製リールにおいて、巻胴紙管の両側に取り付ける鍔体を大径とし、軸紙管の両側に取り付ける鍔体を小径とし、軸紙管の鍔体の外周面を巻胴紙管の折り込み片に接合すると共に、外周の内側面を巻胴紙管の内筒紙管の端部に接着一体化してある紙製リール、および巻胴紙管の両側に取り付ける鍔体の外面に、軸紙管の両側に取り付ける鍔体を接合してある紙製リールを開発し、採用した。
【００１２】
さらに、本発明では、巻胴紙管と、その巻胴紙管の両端を嵌合する孔を穿設した厚紙の鍔体と、軸紙管と、中心部に放射状の切り目を設けた厚紙の鍔体と、その鍔体を軸紙管の両側に取り付ける打ち込み用の内筒紙管とから構成されており、内筒紙管の打ち込みにより切り目の折り込み片が軸紙管と内筒紙管の間に接着してなる軸部が三重構造に構成されていることを特徴とする紙製リールを開発し、採用した。
【００１３】
また、本発明では、上記のように構成した紙製リールにおいて、巻胴紙管の両側に取り付ける鍔体は、軸紙管の両側に取り付ける鍔体より厚く形成されている紙製リール、および巻胴紙管の両側に取り付ける鍔体と軸紙管の両側に取り付ける鍔体の紙質を変えてある紙製リール、および軸紙管の両側に取り付ける少なくとも一方の鍔体の外面に、絵、文字、模様等を印刷した鍔体に形成されている紙製リールを開発し、採用した。
【００１４】
【発明の実施の形態】
以下に、本発明の第１実施の形態を添付の図１〜図４に基づいて説明すると、本発明に係る紙製リールは、大径の巻胴紙管１と、小径の軸紙管２と、中心部に放射状の切り目４を設けた厚紙製の鍔体３と、その鍔体３を巻胴紙管１および軸紙管２の両側端に取り付けるための打ち込み用の内筒紙管６とで構成されている。
【００１５】
上記の巻胴紙管１および軸紙管２は、帯状の原紙をスパイラル状に多重層巻付け、下層の原紙と上層の原紙を接着剤で互いに接着して形成した円筒状の紙管であり、巻胴紙管１を大径に、軸紙管２を小径に形成されている。
【００１６】
鍔体３は合板紙やダンボールシートなど強度の高い厚紙を円形に打ち抜いたもので、例えば、板紙の貼り合せシートを複数枚重合接着したものでもよいし、あるいはダンボールシートを複数枚重合接着したものでもよく、転がしたりしても充分に耐えうる強度と厚さを備えている。
【００１７】
鍔体３は巻胴紙管１の両側に取り付けられる一対の大径の巻胴鍔体３ａ，３ａと、軸紙管２の両側に取り付けられる一対の小径の軸鍔体３ｂ，３ｂとで構成されている。両者の鍔体３ａ，３ａおよび３ｂ，３ｂの厚さは同じになっているが、必ずしも同じ厚さにする必要はない。
【００１８】
鍔体３の中心部には、八方に向かって放射状の切り目４，４……４を刻設してあり、その切り目４と切り目４との間に二等辺三角形の折り込み片５，５……５に形成されている。この折り込み片５，５……５の数は図示のように、８片に限らないが、それ以下になると固着力が弱くなるので好ましくなく、８片以上あれば充分な固着力が得られる。
【００１９】
折り込み片５，５……５の内外両面には、接着剤が塗布されるのがよく、その接着剤としては、合成樹脂接着剤、天然接着剤どちらでも良いが、リサイクル故紙として使用するのには、容易に水に溶解でき、再生作業が簡易になることから、天然接着剤が適し、中でも液状系のうちの水溶系であって、澱粉、ニカワ、ゼラチン等を原料とする水溶性接着剤を使うのが好ましい。
【００２０】
６は巻胴紙管１および軸紙管２に挿通嵌合する打ち込み用の短筒内筒紙管で、鍔体３の切り目４，４……４から挿通し、折り込み片５，５……５を介して巻胴紙管１および軸紙管２の内径に密嵌合するものであり、両端から挿入されてその端部が中央部で当接する長さになっている。
【００２１】
このように構成された各部材を組み立てて紙製リールを製作するには、一方の巻胴鍔体３ａの中央部に設けた切り目４，４……４を巻胴紙管１の中空部に位置するようにし、その上方から打ち込み用の内筒紙管６ａを挿通していくと、切り目４，４……４の折り込み片５，５……５が次第に曲げられていき、内筒紙管６ａが巻胴紙管１と完全に挿通嵌合すると直角状態に折り曲げられ、巻胴紙管１の内周面および内筒紙管６ａの外周面に密着して巻胴部が三重構造になり強化される。他方の巻胴鍔体３ａも前記と同様の方法によって固着する。
【００２２】
続いて内筒紙管６ａより小径の軸紙管２を内筒紙管６ａの内側に挿通し、一方の軸鍔体３ｂの中央部に設けた切り目４，４……４を軸紙管２の中空部に位置するようにし、その上方から打ち込み用の内筒紙管６ｂを挿通していくと、切り目４，４……４の折り込み片５，５……５が次第に曲げられていき、内筒紙管６ｂが軸紙管２と完全に挿通嵌合し、直角状態に折り曲げられて軸紙管２の内周面および内筒紙管６ｂの外周面に密着して軸部が三重構造になり強化される。この時、巻胴鍔体３ａと軸鍔体３ｂとは側面において、面一となるように接合される。なお、折り込み片５，５……５の内外両面に接着剤を塗布しておく事により、巻胴紙管１の内周面および内筒紙管６の外周面に一層強力に固着されるものである。
【００２３】
このように構成された第１実施の形態の作用と効果を説明すれば、巻胴部は巻胴紙管１と、折り込み片５，５と、内筒紙管６ａ，６ａの三重構造になっているので、ケーブル、ワイヤー、チェーンなどの重量のある線材を巻回しても巻圧に充分耐え得る高い強度を有していて窪んだり、撓んだり、損傷したりすることがなくなる。また、軸部は軸紙管２と、折り込み片５，５と、内筒紙管６ｂ，６ｂの三重構造になっているので、例えば、鍔体３，３の外面から挟み具で圧着して捲装物の巻回、解舒を行う場合に、鍔体３，３の左右方向からの面圧にも充分耐え破損することがない。さらに、軸鍔体３ｂ，３ｂの外周面が巻胴鍔体３ａ，３ａの折り込み片６ａ，６ａと直接接合して受止されると共に、外周の側面に接着剤を付けて内筒紙管６と接着すると、接着剤が軸鍔体３ｂ，３ｂの外周面にも侵出するので、接着力が増し剥がれることがなく、かつ鍔体３の上下方向からの圧縮力に対して充分な強度を有することになる。また、巻胴鍔体３ａと軸鍔体３ｂは、両側面において面一となっていて出っ張りがなくすっきりとした外観になる。
【００２４】
つぎに、図５〜図６に示すのは、第２実施例の形態を示すもので、上記第１実施例の形態と異なるのは、鍔体３を上下接合から内外２枚接合して強度を高めたものである。すなわち、巻胴紙管１の鍔体３ａ，３ａの外面に、その鍔体３ａ，３ａとほぼ同一の外径からなる軸紙管２の鍔体３ｂ，３ｂを重ね合わせたものである。
【００２５】
上記第１実施の形態で述べた大径の巻胴紙管１と、小径の軸紙管２と、中心部に放射状の切り目４，４……４を設けた厚紙の鍔体３，３と、その鍔体３，３を巻胴紙管１および軸紙管２の両側に取り付けるための打ち込み用の内層紙管６，６などにより構成するのは全て第１の実施の形態と同一であり、同一部分には同一符号が付してある。
【００２６】
このように構成した第２実施の形態の紙製リールは、上記第１実施の形態と同じ方法で組み立て製作され、第１実施の形態と同様の作用効果を奏すると共に、巻胴鍔体３ａ，３ａと軸鍔体３ｂ，３ｂを内外２枚接合して厚くしてあるから、接地面が増しケーブルを巻回したリールを転がして移動させても、また他物と接触して衝撃を受けたとしても、強度が高く鍔体３，３が折損、破損して使用不能になることがない。さらに、倉庫などでの保管時に縦方向に積み上げたとしても、軸紙管の存在によって強度が増しているので巻胴部や鍔体に何等支障を来たすことがない。
【００２７】
図７〜図９に示すのは、第３実施の形態を示すもので、上記第２実施の形態と異なるのは、巻胴鍔体１３ａ，１３ａの中心部に切り目を設けることなく、円形孔１７を穿設し、該円形孔１７に巻胴紙管１１を嵌着したものである。すなわち、前記実施の形態２では、巻胴紙管１に取り付ける鍔体３ａ，３ａに、切り目４，４……４を刻設し、その切り目４，４……４から圧着内筒６，６を挿通して取り付けていたが、鍔体３，３の強度を増すため、肉厚を厚くすると切目４，４……４の折り込み片５，５……５が折り込めなくなり巻胴紙管１と内筒紙管６との接着ができなくなる。
【００２８】
そのため、この実施の形態３では、巻胴鍔体１３ａ，１３ａの中心部に円形孔１７，１７を打ち抜き、その円形孔１７，１７に巻胴紙管１１の両端部を嵌着したものである。軸部については、前記実施の形態２と同様に、巻胴紙管１１の内側に軸紙管１２を挿通し、軸鍔体１３ｂ，１３ｂの中央部に設けた切り目１４，１４……１４に打ち込み用の内筒紙管１６ｂを挿通し、折り込み片１５，１５……１５が曲げられ軸紙管１２、折り込み片１５，１５、内筒紙管１６ｂ，１６ｂとにより三重構造になるのは前記第２実施の形態と同じである。
【００２９】
また、軸鍔体１３ｂ，１３ｂを巻胴鍔体１３ａ，１３ａの紙質より腰の強い丈夫な紙を用いればより鍔体１３，１３の強度が増すものである。さらに、軸鍔体１３ｂ，１３ｂの一方の軸鍔体１３ｂを良質紙とし、絵、模様、文字等を印刷した鍔体を用いると、従来にない外観優美なリールになると共に、文字によって巻回されているケーブルの種類や径を表示しておけばどのようなものか直ぐに判別できる。
【００３０】
このように構成した第３実施の形態の紙製リールは、巻胴紙管１１の鍔体１３ａ，１３ａを打ち抜きによる円形孔１７を使用するので、分厚いものを用いることができる。そして鍔体１３，１３の接地面積が増すことになり、高い強度の鍔体１３，１３を得ることができる。また、倉庫等に保管する時に、縦方向に積み上げても巻胴紙管１１、軸紙管１２および鍔体１３，１３は破損することがない。さらに、鍔体１３，１３は円形孔１７，１７との嵌めこみ式になっているので、組み立て製作が極めて簡単になる。
【００３１】
以上、本発明の主要な実施の形態について説明したが、本発明は上記の実施の形態に限定されるものではなく、本発明の目的を達成でき、かつ本発明の要旨を逸脱しない範囲内で種々の設計変更が可能である。
【００３２】
【発明の効果】
以上のように、本発明に係る請求項１に記載の紙製リールは、巻胴紙管と、軸紙管と、中心部に放射状の切り目を設けた厚紙の鍔体と、その鍔体を巻胴紙管および軸紙管の両側に取り付ける打ち込み用の内筒紙管とから構成されており、内筒紙管の打ち込みにより切り目の折り込み片が巻胴紙管と内筒紙管および軸紙管と内筒紙管の間に接着してなる巻胴部と軸部がそれぞれ三重構造に構成されていることを特徴とする紙製リールに係るものであるから、次のような優れた効果がある。
【００３３】
全てが紙製であるにも拘らず巻胴部および軸部が三重構造であるから、強度が高く従来の紙製リールでは不可能であった電話線、電力線などのケーブル類あるいは電線など重荷重のかかる線材でも充分巻きつけることができる。また、軸部を三重構造としたため、軸心部が強化されて軸孔にシャフトを挿通し鍔体の外面から挟み具で挟んで捲装物の巻回、解舒を行う場合に、鍔体の左右方向からの面圧にも充分耐えて損傷することがなく、正確に巻きつけることができる。
【００３４】
さらに、全てが紙製であるから、搬送や保管時の取り扱いならびに巻回、解舒時の作業効率が向上する。しかも、安価に製造でき、使用後不用になると故紙として板紙などの再生可能な資材となり、経済的価値が高い。
【００３５】
また、請求項２に記載の紙製リールによれば、巻胴紙管の両側に取り付ける鍔体を大径とし、軸紙管の両側に取り付ける鍔体を小径とし、軸紙管の鍔体の外周面を巻胴紙管の折り込み片に接合すると共に、外周の内側面を巻胴紙管の内筒紙管の端部に接着一体化してあるから、巻胴部、軸部、鍔部それぞれが関連して接着されているため、それらが外れたり、分離することがなくなる。
【００３６】
また、請求項３に記載の紙製リールによれば、巻胴紙管の鍔体の外面に、軸紙管の鍔体を接合してあるので、接地面積が広がって丈夫になり、リールを転がして移動させる時、折損せず安定して移動できる。さらに、倉庫などで保管する時に、縦方向に積み上げても何等支障がない。
【００３７】
さらに、本発明に係る請求項４に記載の紙製リールによれば、巻胴紙管と、その巻胴紙管の両端を嵌合する孔を穿設した厚紙の鍔体と、軸紙管と、中心部に放射状の切り目を設けた厚紙の鍔体と、その鍔体を軸紙管の両側に取り付ける打ち込み用の内筒紙管とから構成されており、内筒紙管の打ち込みにより切り目の折り込み片が軸紙管と内筒紙管の間に接着してなる軸部が三重構造に構成されているから、巻胴鍔体を分厚い強度の高い厚紙を用いることができ、かつ軸鍔体と接合し、より強度のある鍔体となり左右方向および上下方向の圧縮力にも充分耐えられ破損することがない。また、巻胴紙管と鍔体が嵌めこみ式になっているので組み立て製作が極めて簡単になる。
【００３８】
また、本発明に係る請求項５および請求項６に記載の紙製リールによれば、鍔体の強度が図れる。また、請求項７に記載の紙製リールによれば、従来にない美麗で雅趣に富んだリールになると共に、巻きつけた線材の種類や径などを直ぐに判別できる。
【図面の簡単な説明】
【図１】本発明の第１実施の形態を示す斜視図である。
【図２】図１の中央縦断面図である。
【図３】巻胴部の分解斜視図である。
【図４】軸部の分解斜視図である。
【図５】本発明の第２実施の形態を示す斜視図である。
【図６】図５の中央縦断面図である。
【図７】本発明の第３実施の形態を示す斜視図である。
【図８】図７の中央縦断面図である。
【図９】巻胴部と軸部の分解斜視図である。
【符号の説明】
１  巻胴紙管
２  軸紙管
３  鍔体
４  切り目
５  折り込み片
６  内筒紙管
【図１】
2004203575.tif 000003
【図２】
2004203575.tif 000004
【図３】
2004203575.tif 000005
【図４】
2004203575.tif 000006
【図５】
2004203575.tif 000007
【図６】
2004203575.tif 000008
【図７】
2004203575.tif 000009
【図８】
2004203575.tif 000010
【図９】
2004203575.tif 000011